(57)【要約】      （修正有）【課題】竿元側は外ガイド式竿体、竿先側は中通し式竿体からなる振出式の釣竿において、釣糸導入孔を釣竿の途中に設けても、穂先側の竿体を竿元側の竿体内部から引き出したり竿元側の竿体内に挿入して収納することが、容易にでき竿体の強度も確保できる釣糸導入ガイドを提供する。【解決手段】振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔１７の外側に取付ける釣糸導入ガイド２１において、薄板からなる短尺筒体の側面に軸方向の内径が周方向の内径より長い長円形の釣糸導入孔３３を設け、釣糸導入孔３３の竿元側は薄板を筒体の内側に断面が円弧状に折り曲げ、釣糸導入孔３３の竿先側は薄板を筒体の外側に断面が円弧状に折り曲げ、釣糸Ｌの損傷を防止し竿体と固着して補強部材として強度を確保する。【選択図】図３
0003209201.tif 000002
【実用新案登録請求の範囲】
【請求項１】
振出式釣竿の竿元側の外ガイド式竿体から竿先側の中通し竿体に移行する箇所で、外ガイド式の最も竿先側の竿体の側部に設けられた軸方向の内径が周方向の内径より長い貫通孔の外側に取付ける釣糸導入ガイドにおいて、
薄板からなる短尺筒体の側面に竿体に設けた貫通孔よりも小さく、軸方向の内径が周方向の内径より長い長円形の釣糸導入孔を設け、
前記釣糸導入孔の竿元側は前記薄板を筒体の内側に断面が円弧状に折り曲げ、
前記釣糸導入孔の竿先側は前記薄板を筒体の外側に断面が円弧状に折り曲げ
た事を特徴とする釣糸導入ガイド。
【請求項２】
振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔の外側に取付ける釣糸導入ガイドにおいて、
薄板からなる短尺の筒体とし、
竿体に設けた貫通孔と重畳する部分は竿体の肉厚と同等の肉厚とし、
筒体よりも肉厚となる部分は筒体の内側に突出させ、
前記肉厚部分には前記貫通孔と中心が同じで前記貫通孔よりも小さく、軸方向の内径が周方向の内径より長い長穴形の釣糸導入孔を設け、
前記釣糸導入孔の竿元側及び竿先側の端面は断面を円弧状
とした事を特徴とする釣糸導入ガイド。
【請求項３】
請求項１または請求項２記載の釣糸導入ガイドであって、
前記釣糸導入孔を設けた側と反対の側面に軸方向の切り欠きを設け、断面をＣ字形状の筒体としたことを特徴とする釣糸導入ガイドで有って、
竿体の側部に設けられた軸方向の内径が周方向の内径より
長い貫通孔を持つ竿体、その開口部を若干軸方向の内径が小さ目の長円形の釣糸
導入孔を有する筒状の物で、竿体開口部全体を覆う事で開口部の強度を維持し
釣糸が竿管内に侵入又は排出される時の摺動抵抗の低減を可能とした
筒状竿管釣糸導入ガイド。
【考案の詳細な説明】
【技術分野】
【０００１】  本考案は、中通し釣竿などに適用される釣糸導入ガイドに関する。
【背景技術】
【０００２】  竿元側に配置される長尺筒状の竿体内に、穂先側に配置される長尺竿体を収納可能に順次連結した振出式の釣竿が普及している。このような振出式の釣竿は、穂先側に位置する竿体を竿元側の竿体内部から順次引き出し連結することにより、一本の釣竿として使用することができる。そして、使用しない場合、振出式の釣竿は、穂先側の竿体を竿元側の竿体内部に順次挿入して収納することにより、全長を短くコンパクトにすることができる。【０００３】振出式の釣竿では、各竿体の外周部にそれぞれ環状のガイドが配設された外ガイド式の釣竿と、竿元側から竿体の内部に釣糸を通し、穂先から釣糸を引き出した中通し式の釣竿が普及しており、また外ガイド式と中通し式を組合わせた釣竿など様々な改良品が開発されている。
【先行技術文献】
【特許文献】
【０００４】
【特許文献１】特開平０９−１２１７２６
【特許文献２】特開平１０−３１３７３９
【特許文献３】特開２０００−２７９０５８
【特許文献４】特開平９−５６２９９
【特許文献５】特許５９２５９５１
【考案の概要】
【考案が解決しようとする課題】
【０００５】  しかしながら、振出式の釣竿には、釣糸導入孔を釣竿の途中に設けた場合、穂先側の竿体を竿元側の竿体内部から引き出したり竿元側の竿体内に挿入して収納することが、釣糸導入孔を設けた釣糸導入ガイド構造により竿体の内外径の径方向への寸法制約等から難しい様々な問題がある。【０００６】  本考案は斯かる事情に鑑みたものであり、穂先側の竿体を竿元側の竿体内部から引き出したり竿元側の竿体内に挿入しそ収納することを容易にしながら、竿体の強度も確保できる釣糸導入ガイドの提供を目的とする。
【課題を解決するための手段】
【０００７】  上記課題を解決するために、本願記載の釣糸導入ガイドは、振出式で連結される複数の竿体を備える釣竿の穂先側近傍の竿体に設けられる釣糸導入ガイドであって、
振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔の外側に取付ける釣糸導入ガイドにおいて、
薄板からなる短尺筒体の側面に竿体に設けた貫通孔よりも小さく、軸方向の内径が周方向の内径より長い長円形の釣糸導入孔を設け、
前記釣糸導入孔の竿元側は前記薄板を筒体の内側に断面が円弧状に折り曲げ、
前記釣糸導入孔の竿先側は前記薄板を筒体の外側に断面が円弧状に折り曲げ
た事を特徴とする。【０００８】  また、本願記載の第２の釣糸導入ガイドは、
振出式釣竿の竿元側の外ガイド式竿体から竿先側の中通し式竿体に移行する箇所で、外ガイド式の最も竿先側の竿体の側部に設けられた軸方向の内径が周方向の内径より長い貫通孔の外側に取付ける釣糸導入ガイドにおいて、
薄板からなる短尺の筒体とし、
竿体に設けた貫通孔と短尺の筒体が重畳する部分は竿体の肉厚と同等の肉厚とし、
筒体よりも肉厚となる部分は筒体の内側に突出させ、
前記肉厚部分には前記貫通孔と中心が同じで前記貫通孔よりも小さく、軸方向の内径が周方向の内径より長い長穴形の釣糸導入孔を設け、
前記釣糸導入孔の竿元側及び竿先側の端面は断面を円弧状に形成
した事を特徴とする【０００９】また、本願記載の第３の釣糸導入ガイドは、釣糸導入孔を設けた側と反対の側面を軸方向に切り欠いて断面がＣ字形状の筒体としたことを特徴とする。
【考案の効果】
【００１０】  本考案に係る釣糸導入ガイドは、薄板からなる短尺の筒状をなし、竿体の貫通孔部分の外側に取り付けられ、釣糸と接する部分は滑らかな円弧状をしており、竿体の内外径方向への突出を小さくしたり、無くしたりして短尺の筒体を竿体に固着一体化するので、穂先側の竿体を竿元側の竿体内部から引き出したり竿元側の竿体内に挿入して収納することを容易にしながら、竿体の貫通孔部分の強度を確保し、釣糸を傷つけることが無い等の優れた効果を奏する。
【図面の簡単な説明】
【００１１】
【図１】本考案に係る釣糸導入ガイド付き釣竿の一例を示す概略外観図である。
【図２】本考案に係る釣糸導入ガイドの一例を示す概略外観図である。
【図３】本考案に係る釣糸導入ガイドの他の一例を示す概略外観図である。
【図４】本考案に係る釣糸導入ガイドの他の一例を示す概略外観図である。
【考案を実施するための形態】
【００１２】  以下、本考案の実施形態について図面を参照しながら説明する。なお、以下の実施形態は、本考案を具現化した一例であって、本考案の技術的範囲を限定する性格のものではない。
【００１３】  図１は、本考案に係る釣竿１の外観の一例を示す概略外観図である。図１は、釣竿１を側面から示す概略外観図であり、図１（ａ）は、釣竿１の全体の外観を示し、図１（ｂ）は、釣竿１の穂先近傍の外観を示している。図１に示す釣竿１は、所謂、振出竿であり、長尺円筒状をなす複数の竿体１０を順次振出式に連結して構成されている。釣竿１は、全体として竿元側から穂先側にかけて細くなるようにテーパー状に構成されている。釣竿１の穂先に位置する一番竿１１は、最小径の竿体１０であり、一番竿１１の竿元側に連結される竿体１０である二番竿１２は、一番竿１１より大径となるように構成され、更に二番竿１２の竿元側に連結される三番竿１３は、二番竿１２より大径となるように構成されている。このように、図１に例示する釣竿１は、穂先の一番竿１１から竿元の六番竿１６まで６本の竿体１０を順次振出式に連結し、更に六番竿１６の竿元側を把持部（グリップ）に固定して構成されている。なお、竿体１０の本数等の構成は適宜設計することが可能である。
【００１４】  このように構成された釣竿１は、穂先側に位置する竿体１０を竿元側の竿体１０内部から順次引き出した振出状態とすることにより、一本の釣竿１として使用することができる。そして、使用しない場合、釣竿１は、穂先側の竿体１０を竿元側の竿体１０内部に順次挿入して収納することにより、全長を短くコンパクトにすることができる。
【００１５】  釣竿１を構成する三番竿１３から六番竿１６までの各竿体１０には、外ガイド式竿体で穂先側の部位の外周に環状のガイド２が配設されており、更に、把持部の外周には、釣糸Ｌを巻き取るリール３が配設されている。図１（ｂ）に示すように二番竿１２の側部にあたる外周部分には、貫通孔１７（図示していない）が開設され、その外側に釣糸導入ガイド２１が配設されている。リール３から引き出された釣糸Ｌは、六番竿１６に配設されたガイド２から三番竿１３に配設されたガイド２まで順次挿通して案内され、更に、二番竿１２に配設された釣糸導入ガイドの釣糸導入孔２３を挿通し、中通し式竿体である一番竿１１の竿体内部を通り先端部分となる穂先部から外部へと引き出される。長尺円筒状をなす各竿体１０の内部は、竿体を収納可能な中空に形成されており、一番竿１１の先端部分は釣糸Ｌを挿通可能に開口している。穂先部から外部へ延伸される釣糸Ｌの先端部分には釣り針、錘等の図示しない仕掛けが結着されている。
【００１６】  図２は、本考案に係る第２の釣糸導入ガイド２１の外観を示す概略外観図で二番竿１２の貫通孔１７の外側に配設した釣糸導入ガイド２１を拡大して示しており、図（ａ）は釣糸導入孔２３の見える平面図を、図（ｂ）は図（ａ）のＡ−Ａ断面図である。なお、釣糸導入ガイド２１の内径側となる二番竿１２の貫通孔１７を破線で示しており、釣糸を一点鎖線で示している。前記貫通孔１７は、円形としてもよいが、釣糸と釣糸導入孔の抵抗を小さくするために軸方向（釣竿１の長手方向）の内径が周方向の内径より長い長円状に形成されている。釣糸導入ガイド２１は薄い金属板からなり短尺で円筒状をしており、その円筒の側面に釣糸導入孔２３を形成している。釣糸導入孔２３は二番竿１２の貫通孔１７よりも小さく、軸方向（釣竿１の長手方向）の内径が周方向の内径より長い長円状に形成されており、釣糸導入孔２３の竿元側は前記薄板を筒体の内側に断面が円弧状に折り曲げ２７、竿先側は前記薄板を筒体の外側に断面が円弧状に折り曲げ２６ている。釣糸導入孔２３の全周は釣糸Ｌとの摩擦による損耗を防止するため角を丸く加工している。
釣糸導入孔２３の竿元側の筒体の内側への折り曲げ深さは二番竿の内径程度までに止め、一番竿１１の収納を妨げないようにしている。また、竿先側の外側への折り曲げの突出寸法は二番竿１２を三番竿１３へ収納するときの妨げに成らない突出寸法としている。
また、釣糸導入ガイド２１は二番竿１２の貫通孔２２の外周に固着することにより、貫通孔２２による二番竿１２の強度低下を防止することができる。
【００１７】  図３は、本考案に係る第３の係る釣糸導入ガイド３１示す概略外観図であり、二番竿１２の貫通孔１７の外側に配設した釣糸導入ガイド３１を拡大して示しており、図（ａ）は釣糸導入孔３３の見える平面図を、図（ｂ）は図（ａ）のＢ−Ｂ断面図である。なお、釣糸導入ガイド３１の内径側となる二番竿１２の貫通孔１７を破線で示している。前記貫通孔１７は、軸方向（釣竿１の長手方向）の内径が周方向の内径より長い長円状に形成されている。釣糸導入ガイド３１は薄い金属板からなり短尺で円筒状をしており、その円筒の側面に釣糸導入孔３３を形成している。釣糸導入ガイド３１が二番竿１２に設けた貫通孔１７と重畳する部分は二番竿１２の竿体の肉厚と同等の肉厚とし、筒体よりも肉厚となる部分は筒体の内側に突出させ、前記肉厚部分には前記貫通孔１７と中心が同じで前記貫通孔１７よりも小さく、軸方向（釣竿１の長手方向）の内径が周方向の内径より長い長円状に形成している。
釣糸導入孔３３の竿元側と竿先側は板厚を直径とする円弧で丸く形成３６、３７し、長い長円状の軸方向直線部は板厚の内径側、外形側の角を丸く形成するだけでも良い。また、釣糸導入ガイド３１は二番竿１２の貫通孔１７の外周に固着することにより、貫通孔１７による二番竿１２の強度低下を防止することができる。
【００１８】図４は、本考案に係る第３の釣糸導入ガイド４１示す概略外観図であり、釣糸導入孔を設けた側４３と反対の側面に軸方向全長に切り欠き４２を設けていて断面がＣ字形状の筒体としている。この切り欠き４２を設けることにより、釣糸導入ガイド４１を二番竿１２への挿入する際に拡管して挿入を容易に行うことができ、所定位置へ設置後は竿体と密着させて釣糸導入ガイド４１と二番竿１２を固着すれば、釣糸導入ガイド４１が二番竿１２貫通孔１７の補強部材となり二番竿１２の強度低下を防止することができる。
【００１９】  以上のように構成された上述の釣糸導入ガイドを竿体の途中に設置することにより、竿体に貫通孔を設けても、釣糸を外ガイドから竿体内部へ挿通しても貫通孔や釣糸に損傷を与えることが無く、貫通孔を設けたことによる竿体の強度低下も防止できる。また、穂先側の竿体を竿元側の竿体内部から引き出したり竿元側の竿体内への挿入も容易に行うことができる。振出式釣竿の竿元側の外ガイド式竿体から竿先側の中通し式竿体に移行する箇所で、本釣糸導入ガイドを適用することにより、外ガイド式の振出釣竿の弱点と中通し式釣竿の弱点を克服した振出式釣竿を得ることが出来る。
【００２０】    本考案は、以上説明した実施形態に限定されるものではなく、他のいろいろな形態で実施することが可能である。そのため、上述した実施形態はあらゆる点で単なる例示にすぎず、限定的に解釈してはならない。本考案の範囲は請求の範囲によって示すものであって、明細書本文には、なんら拘束されない。更に、請求の範囲の均等範囲に属する変形及び変更は、全て本考案の範囲内のものである。
【符号の説明】
【００２１】１    釣竿
１０  竿体
１１，１２，１３，…，１６    一番竿、二番竿、三番竿、…、六番竿
１７  貫通孔
２１  釣糸導入ガイド
２３  釣糸導入孔
２６  釣糸導入孔の竿先側の折り曲げ部
２７  釣糸導入孔の竿元側の折り曲げ部
３１  釣糸導入ガイド
３３  釣糸導入孔
３６  釣糸導入孔の竿先側の円弧部
３７  釣糸導入孔の竿元側の円弧部
４１  Ｃ字形状の釣糸導入ガイド
４２  切り欠き部
４３  釣糸導入孔側
Ｌ    釣糸
【図１】
0003209201.tif 000003
【図２】
0003209201.tif 000004
【図３】
0003209201.tif 000005
【図４】
0003209201.tif 000006